(57)【要約】
【課題】本考案は、弾性体幅広のゴム紐の両端を折り曲げて、両端部の内側に接着剤を塗布し、接着することにより指入輪を設けるか若しくは両の2箇所を縫合して、指入輪を設けことを特徴とする。
【解決手段】　弾性体幅広のゴム紐１ａの両端を折り曲げて、両端部の内側に接着剤を塗布し、接着することにより指入輪３，４を設けるか若しくは両端部５ａ，５ｂおよび６ａ，６ｂの２箇所を縫合して、両端に指入輪２，３を設けことを特徴とする外反母趾及び内反小趾のリハビリ用具１である。
【選択図】　　　　図１
0003099506.tif 000002
【実用新案登録請求の範囲】
【請求項１】
弾性体幅広のゴム紐１ａの両端を折り曲げて、両端部の内側に接着剤２を塗布し、接着することにより指入輪３，４を設けるか若しくは両端部５ａ，５ｂおよび６ａ，６ｂのそれぞれ2箇所を縫合して、両端に指入輪３，４を設けことを特徴とする外反母趾及び内反小趾のリハビリ用具１。
【考案の詳細な説明】
【技術分野】
【０００１】
　 本考案は、外反母趾及び内反小趾のリハビリ用具に関するものである。
【背景技術】
【０００２】
　外反母趾の治療要する用具としては、外反母し矯正治具、外反母趾矯正用テープ又は外反母趾及び内反小指矯正用サポータ等が有し、親指、小指を中心にして、指全体或いは一部に取り付けるサポータはあったが、いずれもサポータを付けたままの状態でいるものが多くである。サポータを付けたままの状態で靴を履くと違和感があるだけでなく、足全体の形が大きくなり、靴を選ぶ際、靴の形が限定され、誠に不便である。そして、その治療効果も思った程上がらず、治癒に長い歳月を要していたものである。
【０００３】
　外反母し矯正治具は、図６に示すとおり、母指と指示の間に挟むかんごう物（１）と、それを安定に保持するベルト状あるいは筒状の、布あるいは伸縮性を持つ材料で作られた物（２）とで構成される。かんごう物の厚みを調整する時は、厚み調整片（３）を用いる。ベルト状の時は、面テープなどで止める。また、本発明を実施すると同時に、中足靭帯部を締め付けるサポーター（７）を併用すれば矯正効果は更に高まるものである。
【０００４】
　また、外反母趾矯正用テープは、図７に示すとおり、軟質性、通気性、吸湿性を有する材質のテープで形成され、足指の第１趾上から２〜４巻した後、第２趾上、第３趾下、第４趾上、第５趾下通って、第５趾で２〜３巻きした後に反転し、第５趾上、第４趾上
、第３趾上、第２趾上を通って、第１趾上で固定されることにより、足指に巻き付けられるもので、簡単に着脱でき、装着感が良好であり、使い捨て使用が可能であり、内反小趾や横中足靭帯の矯正をも行うことができるものである。
【０００５】
　そして、外反母趾及び内反小指矯正用サポータは、図８に示すとおり、足の中足関節部を内方に押圧する巾とその外周を巻回するバンドの上縁に、親指と第２指間に挿入する弾性部材及び第４指と第５指間に挿入する弾性部材を一体に取り付けた外反母趾及び内反小指矯正用サポータである。
【０００６】
　しかし、上記いずれの外反母趾矯正用具も、足のつま先の巾が広くなり、靴の選定に苦労し、履物の費用が増大すると共に、靴を選定し慣れない靴を使用してみると思わぬ場所の靴擦れと痛みに悩まされるなどの問題点があった。
【特許文献１】特開平１０−２３４７５９は、外反母し矯正治具に係る発明で図６に示すものである。
【特許文献２】特開２０００−３２５３７６は、外反母趾矯正用テープに係る発明で図７に示すものである。
【特許文献３】特開２００１−８７２９７は、外反母趾及び内反小指矯正用サポータに係る発明で図８に示すものである。
【考案の開示】
【考案が解決しようとする課題】
【０００７】
　解決しようとする問題点は、弾性体幅広のゴム紐の両端を折り曲げて、両端部の内側に接着剤を塗布し、接着することにより両端に指入輪を設けるか若しくは両端部をそれぞれ２箇所を縫合して、両端に指入輪を設けてなり、使用し易く、安価に外反母趾及び内反小趾のリハビリ用具を提供することである。
【０００８】
　その使用方法としては、両指入輪に足の親指をそれぞれ挿入するか又は一方の指入輪に足の親指又は小指を挿入して他方の指入輪に手の人差し指又は小指を挿入して外側（図面上矢印の方向）に引っ張ることにより、外反母趾及び内反小趾のリハビリを行う用具であって、何時でも簡単に治療行為を行えるものである。
【課題を解決するための手段】
【０００９】
　上記目的を有する本考案は、弾性体幅広のゴム紐の両端を折り曲げて、両端部の内側に接着剤を塗布し、接着することにより両端に指入輪を設けるか若しくは両端部をそれぞれ2箇所を縫合して、両端に指入輪を設けことを特徴とする外反母趾及び内反小趾のリハビリ用具である。
【考案の効果】
【００１０】
　以上説明したように本考案の外反母趾及び内反小趾のリハビリ用具は、幅広のゴム紐を使用しているため指を外側（図面上矢印の方向）に引く力の調節がし易くまた、本考案の外反母趾及び内反小趾のリハビリ用具は、軽くコンパクトに小物入れに収納できるので、携帯に便利である為どこでも持ち歩きができるものである。
【００１１】
　したがって、暇なときどこでも簡単にこの外反母趾及び内反小趾のリハビリ用具を取り出して必要に応じて使用が可能であり、その治療効果は抜群である。そして、使用後汚れたときには、洗濯もでき、耐久性に優れているものである。
【実施例】
【００１２】
　弾性体幅広のゴム紐１ａの両端を折り曲げて、両端部の内側に接着剤２を塗布し、接着することにより両端に指入輪３，４を設けるか若しくは両端部をそれぞれ２箇所５ａ，５ｂと６ａ，６ｂを縫合して、両端に指入輪３，４を設けた外反母趾及び内反小趾のリハビリ用具１を形成する。そのリハビリ用具は、軽量で携帯に便利でありどこでも暇を見て治療に用いることができるものである。
【００１３】
　図１は、本考案に係る外反母趾及び内反小趾のリハビリ用具の斜視図であって、図２は、図１のＡ−Ａ線断面図説明である。
　図３は、本考案に係る外反母趾及び内反小趾のリハビリ用具を用いて、両足の親指で外反母趾のリハビリを行っている説明図であり、図４は、本考案に係る外反母趾及び内反小趾のリハビリ用具を用いて、人差し指で外反母趾のリハビリを行っている説明図である。図５は、本考案に係る外反母趾及び内反小趾のリハビリ用具を用いて、小指で内反小趾のリハビリを行っている説明図である。
　図６乃至図８は、従来の外反母趾及び内反小趾矯正用サポータ、外反母趾矯正用テープおよび外反母趾矯正治具の説明図である。
【００１４】
　外反母趾及び内反小趾矯正治療は、長年に亘りに履物等により内側に足の親指及び小指が折り曲がり癖が付き元に戻り難くなっているため、矯正治療が不可欠である。そのため従来は、例えば図６乃至図８に示す方法で等で治療が行われていたが、治療に適する履物ものがなく、治療効果が上がらない状態であつた。
【００１５】
　外反母趾及び内反小趾矯正治療は、長年に亘りに履物等により内側に足の親指及び小指が折り曲がり癖が付き元に戻り難くなっているため、その治療には本考案に係る外反母趾及び内反小趾のリハビリ用具１を用いて、外側に引き戻す矯正治療が必要で、その矯正は徐々に回数を増やし、繰返し１日にできれば数回行う必要がある。
【００１６】
　外反母趾治療には、図３に示すように外反母趾及び内反小趾のリハビリ用具１の指入輪３，４にそれぞれ足の親指７を挿入して外側（図面上矢印の方向）に引き合うように数回行うか外反母趾の状態によっは、図４に示すよう一方の指入輪４に足の親指７を挿入し他方の指入輪３に手の人差指８を挿入して強弱を調節しながら外側に引きつつ治療を行うものである。
【００１７】
　内反小趾の治療には、図５に示すように外反母趾及び内反小趾のリハビリ用具１の指入輪３に足の小指９を挿入し反対側の指入輪４に手の小指１０を挿入して強弱を調節しながら外側（図面上矢印の方向）に引くことを１日に数回行うことにより治療を行うものである。
【００１８】
　そして、外反母趾及び内反小趾のリハビリ効果を上げるため、外反母趾及び内反小趾のリハビリ用具のゴム強さの種類を強いもの、中位なもの、弱いものの３種類を用意して、初期の治療には弱いもの、治療半ばのときには中位のも、治療終期には強いものを使用して治療するとそこ効果は抜群である。
【図面の簡単な説明】
【００１９】
【図１】本考案の外反母趾及び内反小趾のリハビリ用具の斜視図である。
【図２】図１のＡ−Ａ線断面図説明である。
【図３】本考案の外反母趾及び内反小趾のリハビリ用具を用いて、両足の親指を指入輪に挿入して外反母趾のリハビリを行っている説明図である。
【図４】本考案の外反母趾及び内反小趾のリハビリ用具を用いて、人差し指で外反母趾のリハビリを行っている説明図である。
【図５】本考案の外反母趾及び内反小趾のリハビリ用具を用いて、小指で内反小趾のリハビリを行っている説明図である。
【図６】従来の外反母趾及び内反小趾矯正用サポータの説明図である。
【図７】従来の外反母趾矯正用テープの説明図である。
【図８】従来の外反母趾矯正治具の説明図である。
【符号の説明】
【００２０】
　 １　　外反母趾及び内反小趾のリハビリ用具１
　 １ａ　幅広のゴム紐
　 ２　　接着剤
　 ３　　指入輪
　 ４　　指入輪
　 ５ａ，５ｂ　　縫合
　 ６ａ，６ｂ　　縫合
　 ７親指
　 ８手の人差指
　 ９足の小指
　 １０手の小指
【図１】
0003099506.tif 000003
【図２】
0003099506.tif 000004
【図３】
0003099506.tif 000005
【図４】
0003099506.tif 000006
【図５】
0003099506.tif 000007
【図６】
0003099506.tif 000008
【図７】
0003099506.tif 000009
【図８】
0003099506.tif 000010